(57)【特許請求の範囲】
【請求項１】
基地局と複数の移動局で構成され、さらに、下り片方向チャネルの共通チャネルＦＡＣＨと双方向の個別チャネルＤＣＨと上り片方向チャネルの共通チャネルＲＡＣＨを設定可能で、かつＤＣＨ単位に各移動局における受信電力が一定となるように閉ループ送信電力制御を適用可能な、無線通信システムにおけるＣＤＭＡ無線マルチキャスト再送制御方法において、
前記基地局が、通常マルチキャストデータを、ＦＡＣＨを用いて各移動局に対して送信する通常マルチキャストデータ送信ステップと、
前記通常マルチキャストデータの受信誤りが所定回数以上にわたって連続的に発生し、かつ定期的に測定される下り干渉電力が予め規定された特定値未満の場合、当該データを受信できなかった移動局が、前記基地局に対して再送用ＤＣＨの設定を要求する再送用ＤＣＨ設定要求ステップと、
前記基地局と移動局との間に再送用ＤＣＨが設定された状態で、前記基地局が、再送マルチキャストデータを、当該再送用ＤＣＨを用いて対応する移動局に対して送信する再送マルチキャストデータ送信ステップと、
を含むことを特徴とするＣＤＭＡ無線マルチキャスト再送制御方法。
【請求項２】
さらに、前記通常マルチキャストデータの受信誤りが所定回数以上にわたって連続的に発生し、かつ定期的に測定される下り干渉電力が予め規定された特定値以上の場合、当該データを受信できなかった移動局が、前記基地局に対してマルチキャストメンバからの離脱を要求するマルチキャストメンバ離脱要求ステップと、
前記基地局と移動局が、マルチキャストメンバからの離脱処理を行うマルチキャストメンバ離脱ステップと、
を含むことを特徴とする請求項１に記載のＣＤＭＡ無線マルチキャスト再送制御方法。
【請求項３】
前記再送用ＤＣＨ設定要求ステップにあっては、
前記データを受信できなかった移動局が、前記下り干渉電力に基づいて再送用ＤＣＨ設定時の拡散率を決定し、当該拡散率を含めた状態で再送用ＤＣＨの設定を要求し、
前記基地局と移動局との間では、当該拡散率に基づいて再送用ＤＣＨを設定することを特徴とする請求項１または２に記載のＣＤＭＡ無線マルチキャスト再送制御方法。
【請求項４】
さらに、前記移動局が再送用ＤＣＨ設定後も定期的に下り干渉電力を測定し、ＦＡＣＨによる通常マルチキャストデータの受信が所定数回にわたって正常であった場合、再送用ＤＣＨが設定された移動局が、前記基地局に対して再送用ＤＣＨの解放を要求する再送用ＤＣＨ開放要求ステップと、
前記基地局と移動局が、再送用ＤＣＨの解放処理を行う再送用ＤＣＨ開放ステップと、
を含むことを特徴とする請求項１、２または３に記載のＣＤＭＡ無線マルチキャスト再送制御方法。
【請求項５】
さらに、前記移動局が再送用ＤＣＨ設定後も定期的に下り干渉電力を測定し、当該下り干渉電力が予め設定された特定値以上の場合、再送用ＤＣＨが設定された移動局が、前記基地局に対して再送用ＤＣＨの解放とマルチキャストメンバからの離脱を要求するＤＣＨ開放／メンバ離脱要求ステップと、前記基地局と移動局が、再送用ＤＣＨの解放処理およびマルチキャストメンバからの離脱処理を行うＤＣＨ開放／メンバ離脱ステップと、
を含むことを特徴とする請求項１〜４のいずれか一つに記載のＣＤＭＡ無線マルチキャスト再送制御方法。
【請求項６】
基地局と複数の移動局で構成され、さらに、下り片方向チャネルの共通チャネルＦＡＣＨと双方向の個別チャネルＤＣＨと上り片方向チャネルの共通チャネルＲＡＣＨを設定可能で、かつＤＣＨ単位に各移動局における受信電力が一定となるように閉ループ送信電力制御を適用可能な、無線通信システムにおいて、
前記基地局が、通常マルチキャストデータを、ＦＡＣＨを用いて各移動局に対して送信し、
前記通常マルチキャストデータの受信誤りが所定回数以上にわたって連続的に発生し、かつ定期的に測定される下り干渉電力が予め規定された特定値未満の場合、当該データを受信できなかった移動局が、前記基地局に対して再送用ＤＣＨの設定を要求し、
前記基地局と移動局との間に再送用ＤＣＨが設定された状態で、前記基地局が、再送マルチキャストデータを、当該再送用ＤＣＨを用いて対応する移動局に対して送信することを特徴とする無線通信システム。
【請求項７】
さらに、前記通常マルチキャストデータの受信誤りが所定回数以上にわたって連続的に発生し、かつ定期的に測定される下り干渉電力が予め規定された特定値以上の場合、当該データを受信できなかった移動局が、前記基地局に対してマルチキャストメンバからの離脱を要求し、
前記基地局と移動局が、マルチキャストメンバからの離脱処理を行うことを特徴とする請求項６に記載の無線通信システム。
【請求項８】
前記再送用ＤＣＨ設定要求時、前記データを受信できなかった移動局が、前記下り干渉電力に基づいて再送用ＤＣＨ設定時の拡散率を決定し、当該拡散率を含めた状態で再送用ＤＣＨの設定を要求し、
前記基地局と移動局との間では、当該拡散率に基づいて再送用ＤＣＨを設定することを特徴とする請求項６または７に記載の無線通信システム。
【請求項９】
さらに、前記移動局が再送用ＤＣＨ設定後も定期的に下り干渉電力を測定し、ＦＡＣＨによる通常マルチキャストデータの受信が所定数回にわたって正常であった場合、再送用ＤＣＨが設定された移動局が、前記基地局に対して再送用ＤＣＨの解放を要求し、
前記基地局と移動局が、再送用ＤＣＨの解放処理を行うことを特徴とする請求項６、７または８に記載の無線通信システム。
【請求項１０】
さらに、前記移動局が再送用ＤＣＨ設定後も定期的に下り干渉電力を測定し、当該下り干渉電力が予め設定された特定値以上の場合、再送用ＤＣＨが設定された移動局が、前記基地局に対して再送用ＤＣＨの解放とマルチキャストメンバからの離脱を要求し、
前記基地局と移動局が、再送用ＤＣＨの解放処理およびマルチキャストメンバからの離脱処理を行うことを特徴とする請求項６〜９のいずれか一つに記載の無線通信システム。
【発明の詳細な説明】
【０００１】
【発明の属する技術分野】
本発明は、基地局と複数の移動局が符号分割多元接続（ＣＤＭＡ：Code Division Multiple Access）伝送方式を用いて双方向にデータ通信を行う無線通信システムに関するものであり、特に、基地局から移動局へマルチキャスト伝送を行い、移動局にて受け取ったデータに誤りがあった場合のＣＤＭＡ無線マルチキャスト再送制御方法に関するものである。
【０００２】
【従来の技術】
以下、従来の通信システムにおける再送制御方法について説明する。従来の通信システムとしては、たとえば、特開平５−１６７５６５号公報に記載の「衛星通信を用いたデータ伝送方法」がある。図１０は、上記公報に記載の通信システムの概略構成を示す図である。この通信システムでは、通常時、親局（センター局）が衛星回線を用いて各子局に対して同報通信を行う。そして、各子局では、受信データに誤りがあった場合に、親局に対して再送要求を送信し、親局（センター局）では、受け取った再送要求の数に応じて衛星回線もしくは地上（公衆）回線を選択し、誤りのあったデータを再送する。
【０００３】
また、上記従来技術を、ＣＤＭＡを採用する移動体通信へ単純に適用する場合、以下のマルチキャスト再送制御処理が考えられる。たとえば、マルチキャストデータは、通常時、基地局（上記センター局および親局に相当）から下り共通チャネル（ＦＡＣＨ）を用いて送信される。一方、マルチキャストデータを受け取った各移動局（上記子局に相当）では、受信がＮＧの場合、基地局に対して再送要求を上り共通チャネル（ＲＡＣＨ）（もしくは再送用のＤＣＨ）を用いて送信する。再送要求を受け取った基地局では、再送要求が多い時にＦＡＣＨを使用し、一方再送要求が少ない時に各移動局に対して設定された個別チャネル（ＤＣＨ）を使用し、誤りのあったマルチキャストデータを再送する。
【０００４】
すなわち、あるマルチキャストデータに対して再送要求が少ない時には、再送要求を出している個々の移動局に対して、同報性に優れているＦＡＣＨのリソースを無駄に使用せず、ＤＣＨで再送データを送信する。逆に、あるマルチキャストデータに対して再送要求が多い時には、共通チャネルであるＦＡＣＨの同報性を利用して効率よく再送データを送信する。
【０００５】
【発明が解決しようとする課題】
しかしながら、上記、従来の通信システムおよび再送制御方法において、以下に示すような問題があった。
【０００６】
たとえば、ＣＤＭＡを採用する移動体通信では、干渉電力が通信の品質に大きく影響するため、干渉の原因となる再送用ＤＣＨの設定は、必要最小限にとどめる必要がある。これは、干渉電力が大きな状況でＤＣＨを設定した場合に、他の通信の品質に大きな影響を及ぼすだけでなく、自らのチャネルの品質悪化を招く恐れもあることに起因する。そのため、従来技術では、ＤＣＨがすべての移動局に設定されていることが前提となるが、実際の移動体通信では、ＤＣＨをすべての移動局に設定しておくことが難しい、という問題があった。
【０００７】
また、移動体通信では各移動局および基地局間で伝送路状態が異なり、かつＦＡＣＨにおいては送信電力制御，拡散率等の制御が移動局毎に対応できないため、移動局によっては再送データが受信できずに、何度も送信，受信リトライを繰り返す可能性がある。そのため、多くの移動局から再送要求がある場合であっても、マルチキャストデータの再送にＦＡＣＨを使用することが適当でない場合もある、という問題があった。
【０００８】
また、ＦＡＣＨだけで再送マルチキャストデータを送信しようとした場合には、たとえば、ある移動局と基地局との間での伝送路が悪化し、その移動局からの再送要求が他の移動局からの再送要求の数よりも極端に多くなると、限られた再送用フレームだけでは間に合わなくなり、移動局側で再送データ受信用のバッファを大きく取る必要が生じてしまう、という問題があった。さらに、上記のような場合には、他の移動局に対しても再送用マルチキャストデータ送信用の無線フレームのリソースを圧迫することになる、という問題があった。
【０００９】
本発明は、上記に鑑みてなされたものであって、移動体通信特有の性質を考慮した上で、同報性に優れているＦＡＣＨと、高速かつ高品質な送信が可能なＤＣＨと、を選択的に使用することにより、効率のよいマルチキャスト再送制御を実現する通信システム、およびそのＣＤＭＡ無線マルチキャスト再送制御方法を得ることを目的とする。
【００１０】
【課題を解決するための手段】
上述した課題を解決し、目的を達成するために、本発明にかかるＣＤＭＡ無線マルチキャスト再送制御方法にあっては、基地局と複数の移動局で構成され、さらに、下り片方向チャネルの共通チャネルＦＡＣＨと双方向の個別チャネルＤＣＨと上り片方向チャネルの共通チャネルＲＡＣＨを設定可能で、かつＤＣＨ単位に各移動局における受信電力が一定となるように閉ループ送信電力制御を適用可能な、無線通信システムが、前記基地局が、通常マルチキャストデータを、ＦＡＣＨを用いて各移動局に対して送信する通常マルチキャストデータ送信ステップと、前記通常マルチキャストデータの受信誤りが所定回数以上にわたって連続的に発生し、かつ定期的に測定される下り干渉電力が予め規定された特定値未満の場合、当該データを受信できなかった移動局が、前記基地局に対して再送用ＤＣＨの設定を要求する再送用ＤＣＨ設定要求ステップと、前記基地局と移動局との間に再送用ＤＣＨが設定された状態で、前記基地局が、再送マルチキャストデータを、当該再送用ＤＣＨを用いて対応する移動局に対して送信する再送マルチキャストデータ送信ステップと、を含むことを特徴とする。
【００１１】
つぎの発明にかかるＣＤＭＡ無線マルチキャスト再送制御方法にあっては、さらに、前記通常マルチキャストデータの受信誤りが所定回数以上にわたって連続的に発生し、かつ定期的に測定される下り干渉電力が予め規定された特定値以上の場合、当該データを受信できなかった移動局が、前記基地局に対してマルチキャストメンバからの離脱を要求するマルチキャストメンバ離脱要求ステップと、前記基地局と移動局が、マルチキャストメンバからの離脱処理を行うマルチキャストメンバ離脱ステップと、を含むことを特徴とする。
【００１２】
つぎの発明にかかるＣＤＭＡ無線マルチキャスト再送制御方法において、前記再送用ＤＣＨ設定要求ステップにあっては、前記データを受信できなかった移動局が、前記下り干渉電力に基づいて再送用ＤＣＨ設定時の拡散率を決定し、当該拡散率を含めた状態で再送用ＤＣＨの設定を要求し、前記基地局と移動局との間では、当該拡散率に基づいて再送用ＤＣＨを設定することを特徴とする。
【００１３】
つぎの発明にかかるＣＤＭＡ無線マルチキャスト再送制御方法にあっては、さらに、前記移動局が再送用ＤＣＨ設定後も定期的に下り干渉電力を測定し、ＦＡＣＨによる通常マルチキャストデータの受信が所定数回にわたって正常であった場合、再送用ＤＣＨが設定された移動局が、前記基地局に対して再送用ＤＣＨの解放を要求する再送用ＤＣＨ開放要求ステップと、前記基地局と移動局が、再送用ＤＣＨの解放処理を行う再送用ＤＣＨ開放ステップと、を含むことを特徴とする。
【００１４】
つぎの発明にかかるＣＤＭＡ無線マルチキャスト再送制御方法にあっては、さらに、前記移動局が再送用ＤＣＨ設定後も定期的に下り干渉電力を測定し、当該下り干渉電力が予め設定された特定値以上の場合、再送用ＤＣＨが設定された移動局が、前記基地局に対して再送用ＤＣＨの解放とマルチキャストメンバからの離脱を要求するＤＣＨ開放／メンバ離脱要求ステップと、前記基地局と移動局が、再送用ＤＣＨの解放処理およびマルチキャストメンバからの離脱処理を行うＤＣＨ開放／メンバ離脱ステップと、を含むことを特徴とする。
【００１５】
つぎの発明にかかる通信システムにあっては、基地局と複数の移動局で構成され、下り片方向チャネルの共通チャネルＦＡＣＨと双方向の個別チャネルＤＣＨと上り片方向チャネルの共通チャネルＲＡＣＨを設定可能で、かつＤＣＨ単位に各移動局における受信電力が一定となるように閉ループ送信電力制御を適用可能とし、さらに、前記基地局が、通常マルチキャストデータを、ＦＡＣＨを用いて各移動局に対して送信し、前記通常マルチキャストデータの受信誤りが所定回数以上にわたって連続的に発生し、かつ定期的に測定される下り干渉電力が予め規定された特定値未満の場合、当該データを受信できなかった移動局が、前記基地局に対して再送用ＤＣＨの設定を要求し、前記基地局と移動局との間に再送用ＤＣＨが設定された状態で、前記基地局が、再送マルチキャストデータを、当該再送用ＤＣＨを用いて対応する移動局に対して送信することを特徴とする。
【００１６】
つぎの発明にかかる通信システムにあっては、さらに、前記通常マルチキャストデータの受信誤りが所定回数以上にわたって連続的に発生し、かつ定期的に測定される下り干渉電力が予め規定された特定値以上の場合、当該データを受信できなかった移動局が、前記基地局に対してマルチキャストメンバからの離脱を要求し、前記基地局と移動局が、マルチキャストメンバからの離脱処理を行うことを特徴とする。
【００１７】
つぎの発明にかかる通信システムにあっては、前記再送用ＤＣＨ設定要求時、前記データを受信できなかった移動局が、前記下り干渉電力に基づいて再送用ＤＣＨ設定時の拡散率を決定し、当該拡散率を含めた状態で再送用ＤＣＨの設定を要求し、前記基地局と移動局との間では、当該拡散率に基づいて再送用ＤＣＨを設定することを特徴とする。
【００１８】
つぎの発明にかかる通信システムにあっては、さらに、前記移動局が再送用ＤＣＨ設定後も定期的に下り干渉電力を測定し、ＦＡＣＨによる通常マルチキャストデータの受信が所定数回にわたって正常であった場合、再送用ＤＣＨが設定された移動局が、前記基地局に対して再送用ＤＣＨの解放を要求し、前記基地局と移動局が、再送用ＤＣＨの解放処理を行うことを特徴とする。
【００１９】
つぎの発明にかかる通信システムにあっては、さらに、前記移動局が再送用ＤＣＨ設定後も定期的に下り干渉電力を測定し、当該下り干渉電力が予め設定された特定値以上の場合、再送用ＤＣＨが設定された移動局が、前記基地局に対して再送用ＤＣＨの解放とマルチキャストメンバからの離脱を要求し、前記基地局と移動局が、再送用ＤＣＨの解放処理およびマルチキャストメンバからの離脱処理を行うことを特徴とする。
【００２０】
【発明の実施の形態】
以下に、本発明にかかるＣＤＭＡ無線マルチキャスト再送制御方法および無線通信システムの実施の形態を図面に基づいて詳細に説明する。なお、この実施の形態によりこの発明が限定されるものではない。
【００２１】
実施の形態１．
図１は、本発明にかかるＣＤＭＡ無線マルチキャスト再送制御方法を実現可能な通信システムの構成を示す図である。図１において、２は基地局であり、１−１，１−２，…，１−ｋは基地局２がカバーするエリアに複数存在する移動局である。ここでは、基地局２と移動局１（１−１〜１−ｋ）との間にスペクトラム拡散通信による双方向のＣＤＭＡ無線通信回線が設定され、下り共通チャネル（ＦＡＣＨ）および個別チャネル（ＤＣＨ）および上り共通チャネル（ＲＡＣＨ）が設定されている。
【００２２】
また、図２は、移動局のブロック構成を示す図である。図２において、１は移動局であり、１０はアンテナであり、１１は受信機であり、１２は制御部であり、１３は送信機である。移動局１では、基地局２出力の送信データをアンテナ１０から受信する。受信機１１では、搬送波変調され拡散変調された状態の受信データに対して、搬送波復調および逆拡散等の処理を行い、その結果をＦＡＣＨまたはＤＣＨのデータとして取り出す。送信機１３では、基地局へ送信するためのＲＡＣＨおよびＤＣＨ用のデータに対して、無線搬送波変調および拡散変調等を行い、その結果を基地局に対して無線電波として送信する。制御部１２では、移動局１の通信制御を行い、受信機１１および送信機１３の動作を制御する。なお、受信機１１では、下り干渉電力（ＲＳＳＩ）を測定可能である。
【００２３】
また、図３は、基地局のブロック構成を示す図である。図３において、２は基地局であり、２０はアンテナであり、２１は受信機であり、２２は制御部であり、２３は送信機である。基地局２では、移動局１出力の送信データをアンテナ２０から受信する。受信機２１では、搬送波変調され拡散変調された状態の受信データに対して、搬送波復調および逆拡散等の処理を行い、その結果をＲＡＣＨまたはＤＣＨのデータとして取り出す。送信機２３では、移動局１へ送信するためのＦＡＣＨおよびＤＣＨ用のデータに対して、無線搬送波変調および拡散変調等を行い、その結果を移動局１に対して無線電波として送信する。制御部２２では、基地局２の通信制御を行い、受信機２１および送信機２３の動作を制御する。
【００２４】
図４は、制御部１２の構成を示す図である。図４において、３０は第１のタスクであり、３１は第２のタスクであり、３２はメモリである。この制御部１２では、各タスク間にてメッセージ通信を行い、内部のメモリ３２は、第１のタスク３０および第２のタスク３１からアクセス可能なグローバルメモリとする。
【００２５】
ここで、上記通信システムにおけるＣＤＭＡ無線マルチキャスト再送制御方法について説明する。図５および図６は、移動局１の制御部１２における処理フローチャートを示す図である。詳細には、図５は、第１のタスク３０における処理フローチャートを示す図であり、図６は、第２のタスク３１におけるフローチャートを示す図である。また、図７は、基地局２の制御部２２における処理フローチャートを示す図である。
【００２６】
まず、マルチキャストによる配信を希望する場合、移動局１の制御部１２では、第１のタスク３０の制御で、基地局２に対してマルチキャストメンバ参加要求を送信する（図５，ステップＳ１０１）。
【００２７】
上記ステップＳ１０１の処理において、マルチキャストメンバ参加要求を受け取った基地局２では、あらかじめ設定され断続的にマルチキャストデータが送信されているＦＡＣＨを用いて、移動局１に対して受信開始シーケンス番号を含むマルチキャストメンバ参加許可応答を送信する（図７，ステップＳ３０１，Ｓ３０２，Ｓ３０３）。なお、上記受信開始シーケンス番号は、移動局１がどのシーケンス番号のマルチキャストデータから受信を開始すべきなのかを示している。
【００２８】
図８は、ＦＡＣＨの無線フレームの一例を示す図である。なお、横軸は時間軸を表し、番号が付与された各枠は無線フレームに相当し、その枠中の数字は無線フレーム毎に連続的に付与されるフレーム番号を表す。また、ＦＡＣＨでは、制御情報送信用，通常時のマルチキャスト送信用，および再送マルチキャストデータ送信用に各無線フレームが時分割されている。さらに、無線フレーム下の(−)は、マルチキャストデータに割り振られたシーケンス番号を表す。一般的に、ＦＡＣＨは、呼設定等のようなシステム的に重要な制御情報の送信に使用されることが多い。
【００２９】
図８では、通常時のマルチキャストデータが無線フレーム（１），（４），（７），（１０），（１３）にて送信されている場合の一例を示している。ここでは、たとえば、無線フレーム（１），（４）にて送信されたデータが移動局１で正常に受信できなかった場合に、基地局２が、再送用のマルチキャストデータを無線フレーム（９）および（１２）を用いて送信している。
【００３０】
つぎに、基地局２からマルチキャストメンバ参加許可応答を受け取った移動局１の制御部１２では、第１のタスク３０の制御で、メモリ３２に設定されている格納場所Ｎ＿ｉｎｃに受信開始シーケンス番号を格納する（図５，ステップＳ１０１）。また、ここでは、定期的な下り干渉電力測定を開始し、受信機１１から通知される測定結果を、メモリ３２に設定されている格納場所Ｉ＿ｍに格納する(ステップＳ１０１)。そして、制御部１２では、第１のタスク３０の制御で、ＦＡＣＨによるマルチキャストデータ受信開始を示すＦＡＣＨ受信フラグ（メモリ３２内）をＯＮにする（ステップＳ１０２）。
【００３１】
つぎに、制御部１２では、第２のタスク３１の制御で、ＦＡＣＨ受信フラグをチェックし（図６，ステップＳ２０１）、ＯＮであれば（ステップＳ２０２）、第１のタスク３０により指定された受信開始シーケンス番号が格納されたＮ＿ｉｎｃを参照し、受信開始シーケンス番号から受信を開始するように、受信機１１を制御する（ステップＳ２０４）。その後、受信機１１から復調されたマルチキャストデータを受け取る。そして、受け取ったマルチキャストデータに付与されているシーケンス番号を、メモリ３２に設定されている格納場所Ｎ＿ｓｅｑに記憶する（ステップＳ２０４）。なお、移動局１では、正常にマルチキャストデータと認識できない受信データに関しては、受信機１１で廃棄され、制御部１２には通知されない。
【００３２】
つぎに、制御部１２では、第２のタスク３１の制御で、Ｎ＿ｓｅｑとＮ＿ｉｎｃとを比較する。たとえば、Ｎ＿ｓｅｑ＝Ｎ＿ｉｎｃであれば（図６，ステップＳ２０５，Ｓ２０６）、受信失敗によるマルチキャストデータの抜けが無く、指定された受信開始シーケンス番号のマルチキャストデータが正常に受信できていることから、Ｎ＿ｉｎｃを１だけインクリメントする（ステップＳ２１２）。そして、通常時の（つまり再送時ではない）マルチキャストデータが連続何回にわたって正常受信を繰り返しているかを示すＮ＿ｓｕｃを１だけインクリメントする（ステップＳ２１３）。なお、Ｎ＿ｓｕｃは基地局２の立ち上げ時に０にクリアされる。
【００３３】
つぎに、制御部１２では、第２のタスク３１の制御で、ＤＣＨによる再送用マルチキャストデータの受信開始を示すＤＣＨ受信フラグがＯＮになっているかどうかを確認し（図６，ステップＳ２１４）、この段階ではＤＣＨ受信フラグがＯＮになっていないので、ステップＳ２０１へ移行する。
【００３４】
一方、上記ステップＳ２０５の処理において、Ｎ＿ｓｅｑとＮ＿ｉｎｃとを比較した結果、たとえば、Ｎ＿ｓｅｑ＞Ｎ＿ｉｎｃであれば、指定された受信開始シーケンス番号より大きなシーケンス番号のマルチキャストデータを受信していることになり、その間に存在するシーケンス番号のマルチキャストデータについては受信できなかったことになる。ここで、制御部１２では、第２のタスク３１の制御で、受信できなかったマルチキャストデータのシーケンス番号をメモリ３２に記憶し（図６，ステップＳ２１６）、さらに、通常時のマルチキャストデータの受信に抜けが生じたので、Ｎ＿ｓｕｃをクリアする（ステップＳ２１７）。
【００３５】
つぎに、制御部１２では、第２のタスク３１の制御で、受信できなかった通常マルチキャストデータの数を判定し、その値がＮ以上だった場合に（図６，ステップＳ２１８，まだこの段階ではＤＣＨ受信フラグがＯＮになっていないので）、ＦＡＣＨからの通常マルチキャストデータがＮ回以上にわたって連続して受信できなかった旨を、第１のタスク３０へ通知する（ステップＳ２１９）。ここで再送用ＤＣＨ設定が行われる。その後、受信できなかったマルチキャストデータ（Ｎ＿ｉｎｃ以上Ｎ＿ｓｅｑ未満のシーケンス番号が該当）のＤＣＨによる再送を要求するメッセージを、すなわち、マルチキャストデータ再送要求（ＤＣＨ）を、基地局２に対して送信する（ステップＳ２２０）。その後、制御部１２では、つぎにＦＡＣＨから受信すべき通常マルチキャストデータのシーケンス番号として、現在のＮ＿ｉｎｃをＮ＿ｓｅｑ＋１とする（ステップＳ２２１）。
【００３６】
上記ステップＳ２２０の処理において、マルチキャストデータ再送要求（ＤＣＨ）を受け取った基地局２では、再送要求対象のマルチキャストデータを、再送用ＤＣＨを用いて再送する（図７，ステップＳ３０２，Ｓ３０７）。
【００３７】
つぎに、再送マルチキャストデータを受け取った移動局１では（図６，ステップＳ２０４）、上記同様、第２のタスク３１で、Ｎ＿ｓｅｑとＮ＿ｉｎｃとを比較する（ステップＳ２０５，Ｓ２０６）。ここでは、受信したマルチキャストデータが再送データであるため、Ｎ＿ｓｅｑ＜Ｎ＿ｉｎｃが成立する。そして、Ｎ＿ｓｅｑが上記で受信できなかったマルチキャストデータのシーケンス番号であれば（ステップＳ２０７）、再送要求対象のマルチキャストデータが正しく受信できたことを表すので、制御部１２では、Ｎ＿ｉｎｃをインクリメントせずに（ステップＳ２１０）、正常に受信できたマルチキャストデータのシーケンス番号をクリアする（ステップＳ２１１）。
【００３８】
なお、上記ステップＳ２０７の処理において、受信できなかったマルチキャストデータのシーケンス番号に該当しない再送用マルチキャストデータを受け取った場合、制御部１２では、第２のタスク３１の制御で、そのデータを破棄する（図６，ステップＳ２０８）。そして、ここでもＮ＿ｉｎｃは更新しない（ステップＳ２０９）。
【００３９】
また、上記ステップＳ２１８の処理において、第２のタスク３１の制御で、受信できなかった通常マルチキャストデータの数を判定し、その値がＮ未満だった場合（図６，ステップＳ２１９）、制御部１２では、再送用ＤＣＨを設定せずに、受信できなかったマルチキャストデータ（Ｎ＿ｉｎｃ以上Ｎ＿ｓｅｑ未満のシーケンス番号が該当）のＦＡＣＨによる再送を要求するメッセージを、すなわち、マルチキャストデータ再送要求（ＦＡＣＨ）を、基地局２に対して送信する（ステップＳ２２０）。その後、制御部１２では、第２のタスク３１の制御で、つぎにＦＡＣＨから受信すべき通常マルチキャストデータのシーケンス番号として、現在のＮ＿ｉｎｃをＮ＿ｓｅｑ＋１とする（ステップＳ２２１）。
【００４０】
上記ステップＳ２２０の処理において、マルチキャストデータ再送要求（ＦＡＣＨ）を受け取った基地局２では、再送要求対象のマルチキャストデータを、ＦＡＣＨを用いて再送する（図７，ステップＳ３０２，Ｓ３０６）。
【００４１】
つぎに、再送マルチキャストデータを受け取った移動局１では（図６，ステップＳ２０４）、上記同様、第２のタスク３１の制御で、Ｎ＿ｓｅｑとＮ＿ｉｎｃとを比較する（ステップＳ２０５，Ｓ２０６）。ここでは、受信したマルチキャストデータが再送データであるため、Ｎ＿ｓｅｑ＜Ｎ＿ｉｎｃが成立する。そして、Ｎ＿ｓｅｑが上記で受信できなかったマルチキャストデータのシーケンス番号であれば（ステップＳ２０７）、再送要求対象のマルチキャストデータが正しく受信できたことを表すので、制御部１２では、Ｎ＿ｉｎｃをインクリメントせずに（ステップＳ２１０）、正常に受信できたマルチキャストデータのシーケンス番号をクリアする（ステップＳ２１１）。
【００４２】
なお、上記ステップＳ２０７の処理において、受信できなかったマルチキャストデータのシーケンス番号に該当しない再送用マルチキャストデータを受け取った場合、制御部１２では、第２のタスク３１の制御で、そのデータを破棄する（図６，ステップＳ２０８）。そして、ここでもＮ＿ｉｎｃは更新しない（ステップＳ２０９）。
【００４３】
また、上記ステップＳ２１９の処理において、ＦＡＣＨからの通常マルチキャストデータがＮ回以上にわたって連続して受信できなかった旨を、受け取った制御部１２の第１のタスク３０では（図５，ステップＳ１０３）、既にＩ＿ｍに格納されている下り干渉電力を、移動局内部であらかじめ決められているしきい値Ｉ＿ｔｈと比較する（ステップＳ１０８）。そして、そのしきい値よりも下り干渉電力が小さい場合、下り干渉電力にまだ余裕があるとみなし、再送用ＤＣＨの拡散率を決定し、基地局２に対して当該拡散率を含めた再送用ＤＣＨ設定要求を送信する（ステップＳ１１０）。その後、制御部１２では、第１のタスク３０の制御で、再送用ＤＣＨを設定し、再送用ＤＣＨによる再送マルチキャストデータの受信を示すＤＣＨ受信フラグをＯＮにする（ステップＳ１１０）。なお、ＤＣＨ受信フラグは、メモリ３２に設定される。
【００４４】
図９は、拡散率と下り干渉電力Ｉ＿ｍの関係を示す図である。一般的に、各チャネルの伝送レートを上げると（＝拡散率を下げると）、ビットあたりの電力を維持するために電力を上げる必要が生じる。そのため、下り干渉電力が高いときにＤＣＨを設定する場合には、他ユーザの通信品質に影響を及ぼさないように伝送レートを下げる必要がある（＝拡散率を上げる）。逆に、下り干渉電力が低いときにＤＣＨを設定する場合には、再送マルチキャストデータをできるだけ素早く送信する方がサービス的に望ましいので、伝送レートを上げた方がよい（＝拡散率下げる）。ステップＳ１１０の処理においては、上記のような拡散率と下り干渉電力との関係を考慮し、拡散率を決定し、効率よく再送用ＤＣＨを設定する。
【００４５】
上記ステップＳ１１０の処理において、再送用ＤＣＨ設定要求を受け取った基地局２では、要求があった移動局に対してマルチキャストデータ再送用ＤＣＨを設定する（図７，ステップＳ３０２，Ｓ３０４）。
【００４６】
一方、上記ステップＳ１０８の処理において、下り干渉電力Ｉ＿ｍがしきい値Ｉ＿ｔｈ以上の場合、制御部１２では、下り干渉電力が大きく、これ以上再送用ＤＣＨを設定すると他ユーザの通信も含めた回線品質に影響を及ぼすと判断し、再送用ＤＣＨを設定しない。
【００４７】
また、上記のような場合（ＦＡＣＨでの通常マルチキャストデータの受信失敗が多いにも関わらず受信再送用ＤＣＨが設定できない場合）には、図８に示すように、再送用マルチキャスト用無線フレームが限られているため、リアルタイム性が要求されるデータに関して再送が追いつかない可能性がある。また、移動局１側で再送データを一定時間内に正常受信できない場合には、再送用の受信バッファを多く設定しておく必要が生じる。さらに、ある移動局に対する再送が極端に増加する場合には、他の移動局に対する再送データ送信用のリソース（無線フレーム）を圧迫する可能性がある。したがって、制御部１２では、第１のタスク３０の制御で、基地局２に対してマルチキャストメンバ離脱要求を送信し、さらに、ＦＡＣＨ受信フラグをＯＦＦにする（図５，ステップＳ１０９）。
【００４８】
上記ステップＳ１０９の処理において、マルチキャストメンバ離脱要求を受け取った基地局２では、当該移動局に対するマルチキャストメンバからの離脱処理を行い、再送処理を終了させる（図７，ステップＳ３０２，Ｓ３０８）。
【００４９】
そして、制御部１２では、第２のタスク３１の制御で、ＦＡＣＨ受信フラグがＯＦＦであることをチェックし（図６，ステップＳ２０１）、移動局１として、マルチキャストデータの受信停止の処理を行い、マルチキャストメンバから外れる（ステップＳ２０３）。
【００５０】
また、上記ステップＳ１１０の処理において、ＤＣＨ受信フラグがＯＮとなり、再送用ＤＣＨが設定され、再送マルチキャストデータが再送用ＤＣＨ経由で移動局１に届く状態になると、制御部１２では、上記ＤＣＨ受信フラグＯＦＦ時と同様、第２のタスク３１の制御で、ＦＡＣＨ受信フラグおよびＤＣＨ受信フラグをチェック後（図６，ステップＳ２０１，Ｓ２０２）、第１のタスク３０もしくは第２のタスク３１により指定されたＮ＿ｉｎｃを参照し、格納されたシーケンス番号から受信を開始するように、受信機１１を制御する（ステップＳ２０４）。その後、受信機１１から復調された再送マルチキャストデータを受け取る。そして、受け取った再送マルチキャストデータに付与されているシーケンス番号を、メモリ３２に設定されている格納場所Ｎ＿ｓｅｑに記憶する（ステップＳ２０４）。
【００５１】
つぎに、制御部１２では、第２のタスク３１の制御で、Ｎ＿ｓｅｑとＮ＿ｉｎｃとを比較し（図６，ステップＳ２０５）、たとえば、Ｎ＿ｓｅｑ＞Ｎ＿ｉｎｃであれば、指定された再送マルチキャストデータのシーケンス番号より大きなシーケンス番号の再送マルチキャストデータを受信していることになり、その間に存在するシーケンス番号の再送マルチキャストデータについては受信を失敗したことになる。ここで、制御部１２では、第２のタスク３１の制御で、受信できなかった再送マルチキャストデータのシーケンス番号をメモリ３２に記憶し（ステップＳ２１６）、再送マルチキャストデータの受信に抜けが生じたので、Ｎ＿ｓｕｃをクリアする（ステップＳ２１７）。
【００５２】
つぎに、制御部１２では、第２のタスク３１の制御で、ＤＣＨ受信フラグを確認し（図６，ステップＳ２１８）、ここではＤＣＨ受信フラグがＯＮとなっているため、受信できなかった再送マルチキャストデータに対するマルチキャストデータ再送要求（ＤＣＨ）を、基地局２に対して送信する（ステップＳ２２０）。
【００５３】
上記ステップＳ２２０の処理において、マルチキャストデータ再送要求（ＤＣＨ）を受け取った基地局２では、再送要求対象のマルチキャストデータを、再送用ＤＣＨを用いて再送する（図７，ステップＳ３０２，Ｓ３０７）。
【００５４】
つぎに、再度、再送マルチキャストデータを受け取った移動局１では（図６，ステップＳ２０４）、上記同様、第２のタスク３１の制御で、Ｎ＿ｓｅｑとＮ＿ｉｎｃとを比較する（ステップＳ２０５，Ｓ２０６）。ここでは、受信したマルチキャストデータが再送データであるため、Ｎ＿ｓｅｑ＜Ｎ＿ｉｎｃが成立する。そして、Ｎ＿ｓｅｑが上記で受信できなかった再送マルチキャストデータのシーケンス番号であれば（ステップＳ２０７）、再送要求対象のマルチキャストデータが正しく受信できたことを表すので、制御部１２では、Ｎ＿ｉｎｃをインクリメントせずに（ステップＳ２１０）、正常に受信できた再送マルチキャストデータのシーケンス番号をクリアする（ステップＳ２１１）。
【００５５】
なお、上記ステップＳ２０７の処理において、受信できなかったマルチキャストデータのシーケンス番号に該当しない再送用マルチキャストデータを受け取った場合、制御部１２では、第２のタスク３１の制御で、そのデータを破棄する（図６，ステップＳ２０８）。そして、ここでもＮ＿ｉｎｃは更新しない（ステップＳ２０９）。
【００５６】
一方、第２のタスク３１で、Ｎ＿ｓｅｑとＮ＿ｉｎｃとを比較した結果（図６，ステップＳ２０５，Ｓ２０６）、Ｎ＿ｓｅｑ＝Ｎ＿ｉｎｃが成立する場合は、ＦＡＣＨで送信される通常マルチキャストデータが正常に受信できていることから、Ｎ＿ｉｎｃを１だけインクリメントする（ステップＳ２１２）。そして、通常時のマルチキャストデータが連続何回にわたって正常受信を繰り返しているかを示すＮ＿ｓｕｃを１だけインクリメントする（ステップＳ２１３）。
【００５７】
つぎに、制御部１２では、第２のタスク３１の制御で、ＤＣＨによる再送用マルチキャストデータの受信開始を示すＤＣＨ受信フラグがＯＮになっているかどうかを確認し（図６，ステップＳ２１４）、この段階ではＤＣＨ受信フラグがＯＮになっているので、ＦＡＣＨによるマルチキャストデータがＭ回にわたって連続して受信できたことを示すメッセージを、第１のタスク３０へ通知する（ステップＳ２１５）。
【００５８】
つぎに、制御部１２では、第１のタスク３０の制御で、既に再送用ＤＣＨが設定されている場合で、かつＦＡＣＨからのマルチキャストデータを数回にわたって連続して正常受信した場合には、移動局１と基地局２との間の回線状態が良好になり、再送用ＤＣＨの必要性がなくなったと判断する。また、このような場合に無駄にＤＣＨを設定しておくと、リソースの無駄が生じ、干渉電力の増加にもつながるため、必要の無くなったＤＣＨはできるだけ解放した方がよいと判断する。そこで、制御部１２では、第１のタスク３０の制御で、基地局２へ再送用ＤＣＨ解放要求を送信する（図５，ステップＳ１１１）。そして、再送用ＤＣＨの解放処理を行い、ＤＣＨ受信フラグをＯＦＦにする（ステップＳ１１１）。
【００５９】
また、上記ステップＳ１１１において、再送用ＤＣＨ解放要求を受け取った基地局でも、同様に再送用ＤＣＨの解放処理を行う（図７，ステップＳ３０２，Ｓ３０５）。
【００６０】
なお、制御部１２では、第１のタスク３０の制御で、定期的に下り干渉電力の測定を行っており（図５，ステップＳ１０３）、受信機１１から通知される測定結果をＩ＿ｍに格納している（ステップＳ１０４）。したがって、再送用ＤＣＨが既に設定されている状況下（つまりＤＣＨ受信フラグＯＮ時）で、かつＩ＿ｍ≧Ｉ＿ｔｈの場合には、下り干渉量がある一定の値を超えていると見なし（ステップＳ１０５）、第１のタスク３０の制御で、基地局２へ再送用ＤＣＨ解放要求を送信し、再送用ＤＣＨの解放処理を行い、ＤＣＨ受信フラグをＯＦＦにする（ステップＳ１０６）。そして、上記ステップＳ１０６の処理において、再送用ＤＣＨ解放要求を受け取った基地局２でも、同様に再送用ＤＣＨの解放処理を行う（図７，ステップＳ３０２，Ｓ３０５）。ここでは、再送用ＤＣＨが設定されている状況で下り干渉電力が一定値を超えてしまうと、重要なデータを伝送している可能性のある他ユーザの通信に影響を及ぼすと判断し、再送用ＤＣＨを解放する。
【００６１】
つぎに、ＤＣＨ受信フラグをＯＦＦに設定した後、制御部１２では、第１のタスク３０の制御で、マルチキャストメンバから離脱するために、基地局２へマルチキャストメンバ離脱要求を送信し、ＦＡＣＨ受信フラグをＯＦＦにする（図５，ステップＳ１０７）。そして、上記ステップＳ１０７において、マルチキャストメンバ離脱要求を受け取った基地局２では、当該移動局１のマルチキャストメンバからの離脱処理を行う（図７，ステップＳ３０２，Ｓ３０８）。
【００６２】
つぎに、制御部１２では、第２のタスク３１の制御で、ＦＡＣＨ受信フラグおよびＤＣＨ受信フラグがともにＯＦＦであることをチェックし（図６，ステップＳ２０１，Ｓ２０２）、移動局１として、マルチキャストデータ受信の停止処理を行う（ステップＳ２０３）。ここでは、ＦＡＣＨでの通常マルチキャストデータの受信失敗が断続的に続いているにも関わらず再送用ＤＣＨ設定が解除されていることから、移動局１は、以下の（１）（２）の理由によりマルチキャストメンバから外れた方がよいと判断する。
（１）ＦＡＣＨだけでマルチキャストデータの受信継続を試みても、図８に示すように、再送用マルチキャスト用無線フレームは限られており、リアルタイム性が要求されるデータに関しては、再送が追いつかない可能性がある。
（２）また、移動局１側で再送データが一定時間内に正常受信できないと、再送用の受信バッファを多く設ける必要が生じる。
（３）さらに、ある移動局に対する再送が極端に増加すると、他の移動局に対する再送データ送信用のリソース（無線フレーム）を圧迫する可能性がある。
【００６３】
このように、本実施の形態においては、通常マルチキャストデータの受信誤りが所定回数以上にわたって連続的に発生し、かつ定期的に測定される下り干渉電力が予め規定された特定値未満の場合に、データを正常受信できなかった移動局１が、基地局２に対して再送用ＤＣＨ設定要求を送信し、基地局２と移動局１との間に再送用ＤＣＨが設定された状態で、基地局２が、再送マルチキャストデータを、当該再送用ＤＣＨを用いて移動局１に対して送信することとした。これにより、高速かつ高品質な送信が可能なＤＣＨをマルチキャストデータの再送に使用できるため、効率のよいマルチキャスト再送制御を実現することができる。
【００６４】
また、本実施の形態においては、通常マルチキャストデータの受信誤りが所定回数以上にわたって連続的に発生し、かつ定期的に測定される下り干渉電力が予め規定された特定値以上の場合に、データを正常受信できなかった移動局１が、マルチキャストメンバから離脱することとした。これにより、ある移動局に対する再送が極端に増加する場合であっても、他の移動局のリソースに与える影響を回避できる。
【００６５】
また、本実施の形態においては、データを正常受信できなかった移動局１が、下り干渉電力に基づいて再送用ＤＣＨ設定時の拡散率を決定することとした。これにより、たとえば、下り干渉電力が高いときには、伝送レートを下げることで、他ユーザの通信品質に影響を及ぼさないように再送用ＤＣＨを設定できる。一方、下り干渉電力が低いときには、伝送レートを上げることで、再送マルチキャストデータをできるだけ素早く送信するように再送用ＤＣＨを設定できる。
【００６６】
また、本実施の形態においては、移動局１が、再送用ＤＣＨ設定後も定期的に下り干渉電力を測定し、ＦＡＣＨによる通常マルチキャストデータの受信が所定数回にわたって正常であった場合に、再送用ＤＣＨを解放することとした。これにより、必要のない再送用ＤＣＨが開放されるため、リソースの有効利用および干渉電力の減少を実現できる。
【００６７】
また、本実施の形態においては、移動局１が、再送用ＤＣＨ設定後も定期的に下り干渉電力を測定し、当該下り干渉電力が予め設定された特定値以上の場合に、再送用ＤＣＨを解放し、さらに、マルチキャストメンバから離脱することとした。これにより、重要なデータを伝送している他ユーザへの影響を大幅に低減できる。
【００６８】
【発明の効果】
以上、説明したとおり、本発明によれば、通常マルチキャストデータの受信誤りが所定回数以上にわたって連続的に発生し、かつ定期的に測定される下り干渉電力が予め規定された特定値未満の場合に、データを正常受信できなかった移動局が、基地局に対して再送用ＤＣＨ設定要求を送信し、基地局と移動局との間に再送用ＤＣＨが設定された状態で、基地局が、再送マルチキャストデータを、当該再送用ＤＣＨを用いて送信することとした。これにより、高速かつ高品質な送信が可能なＤＣＨをマルチキャストデータの再送に使用できるため、効率のよいマルチキャスト再送制御を実現することができる、という効果を奏する。
【００６９】
つぎの発明によれば、通常マルチキャストデータの受信誤りが所定回数以上にわたって連続的に発生し、かつ定期的に測定される下り干渉電力が予め規定された特定値以上の場合に、データを正常受信できなかった移動局が、マルチキャストメンバから離脱することとした。これにより、ある移動局に対する再送が極端に増加する場合であっても、他の移動局のリソースに与える影響を回避できる、という効果を奏する。
【００７０】
つぎの発明によれば、データを正常受信できなかった移動局が、下り干渉電力に基づいて再送用ＤＣＨ設定時の拡散率を決定することとした。これにより、たとえば、下り干渉電力が高いときには、伝送レートを下げることで、他ユーザの通信品質に影響を及ぼさないように再送用ＤＣＨを設定できる、という効果を奏する。一方、下り干渉電力が低いときには、伝送レートを上げることで、再送マルチキャストデータをできるだけ素早く送信するように再送用ＤＣＨを設定できる、という効果を奏する。
【００７１】
つぎの発明によれば、移動局が、再送用ＤＣＨ設定後も定期的に下り干渉電力を測定し、ＦＡＣＨによる通常マルチキャストデータの受信が所定数回にわたって正常であった場合に、再送用ＤＣＨを解放することとした。これにより、必要のない再送用ＤＣＨが開放されるため、リソースの有効利用および干渉電力の減少を実現できる、という効果を奏する。
【００７２】
つぎの発明によれば、移動局が、再送用ＤＣＨ設定後も定期的に下り干渉電力を測定し、当該下り干渉電力が予め設定された特定値以上の場合に、再送用ＤＣＨを解放し、さらに、マルチキャストメンバから離脱することとした。これにより、重要なデータを伝送している他ユーザへの影響を大幅に低減できる、という効果を奏する。
【００７３】
つぎの発明によれば、通常マルチキャストデータの受信誤りが所定回数以上にわたって連続的に発生し、かつ定期的に測定される下り干渉電力が予め規定された特定値未満の場合に、データを正常受信できなかった移動局が、基地局に対して再送用ＤＣＨ設定要求を送信し、基地局と移動局との間に再送用ＤＣＨが設定された状態で、基地局が、再送マルチキャストデータを、当該再送用ＤＣＨを用いて送信することとした。これにより、高速かつ高品質な送信が可能なＤＣＨをマルチキャストデータの再送に使用できるため、効率のよいマルチキャスト再送制御を実現することができる、という効果を奏する。
【００７４】
つぎの発明によれば、通常マルチキャストデータの受信誤りが所定回数以上にわたって連続的に発生し、かつ定期的に測定される下り干渉電力が予め規定された特定値以上の場合に、データを正常受信できなかった移動局が、マルチキャストメンバから離脱することとした。これにより、ある移動局に対する再送が極端に増加する場合であっても、他の移動局のリソースに与える影響を回避できる、という効果を奏する。
【００７５】
つぎの発明によれば、データを正常受信できなかった移動局が、下り干渉電力に基づいて再送用ＤＣＨ設定時の拡散率を決定することとした。これにより、たとえば、下り干渉電力が高いときには、伝送レートを下げることで、他ユーザの通信品質に影響を及ぼさないように再送用ＤＣＨを設定できる、という効果を奏する。一方、下り干渉電力が低いときには、伝送レートを上げることで、再送マルチキャストデータをできるだけ素早く送信するように再送用ＤＣＨを設定できる、という効果を奏する。
【００７６】
つぎの発明によれば、移動局が、再送用ＤＣＨ設定後も定期的に下り干渉電力を測定し、ＦＡＣＨによる通常マルチキャストデータの受信が所定数回にわたって正常であった場合に、再送用ＤＣＨを解放することとした。これにより、必要のない再送用ＤＣＨが開放されるため、リソースの有効利用および干渉電力の減少を実現できる、という効果を奏する。
【００７７】
つぎの発明によれば、移動局が、再送用ＤＣＨ設定後も定期的に下り干渉電力を測定し、当該下り干渉電力が予め設定された特定値以上の場合に、再送用ＤＣＨを解放し、さらに、マルチキャストメンバから離脱することとした。これにより、重要なデータを伝送している他ユーザへの影響を大幅に低減できる、という効果を奏する。
【図面の簡単な説明】
【図１】  本発明にかかるＣＤＭＡ無線マルチキャスト再送制御方法を実現可能な通信システムの構成を示す図である。
【図２】  移動局のブロック構成を示す図である。
【図３】  基地局のブロック構成を示す図である。
【図４】  制御部１２の構成を示す図である。
【図５】  移動局１の制御部１２における処理フローチャートを示す図である。
【図６】  移動局１の制御部１２における処理フローチャートを示す図である。
【図７】  基地局２の制御部２２における処理フローチャートを示す図である。
【図８】  ＦＡＣＨの無線フレームの一例を示す図である。
【図９】  拡散率と下り干渉電力Ｉ＿ｍの関係を示す図である。
【図１０】  従来の通信システムの概略構成を示す図である。
【符号の説明】
１，１−１，１−２，…，１−ｋ  移動局、２  基地局、１０  アンテナ、１１  受信機、１２  制御部、１３  送信機、２０  アンテナ、２１  受信機、２２  制御部、２３  送信機、３０  第１のタスク、３１  第２のタスク、３２  メモリ。
【図１】
0003643053.tif 000002
【図２】
0003643053.tif 000003
【図３】
0003643053.tif 000004
【図４】
0003643053.tif 000005
【図５】
0003643053.tif 000006
【図６】
0003643053.tif 000007
【図７】
0003643053.tif 000008
【図８】
0003643053.tif 000009
【図９】
0003643053.tif 000010
【図１０】
0003643053.tif 000011